【手続補正書】
【提出日】平成18年3月9日(2006.3.9)
【手続補正１】
【補正対象書類名】明細書
【補正対象項目名】特許請求の範囲
【補正方法】変更
【補正の内容】
【特許請求の範囲】
【請求項１】  表示画面側に配された第１の表示体と、背面側に配された第２の表示体とを備え、前記第１の表示体は、第１の印加電圧に応じて所望の色彩光を自己発光する自己発光層と、前記自己発光層を挟み込むように配置された一対の透明電極とを有し、前記第２の表示体は、第２の印加電圧に応じて二色表示する反射型表示体層を有する表示装置であって、前記第１の表示体及び前記第２の表示体の表示状態を制御する制御手段を備え、前記制御手段は、表示コンテンツに含まれるカラー表示データを前記第１の表示体に表示させ、前記表示コンテンツに含まれるモノクロ表示データを前記第２の表示体に表示させることを特徴とする表示装置。
【請求項２】  前記制御手段は、前記表示コンテンツに含まれるカラー写真データは前記第１の表示体に表示させ、前記表示コンテンツに含まれるモノクロ写真データ及び文字データは前記第２表示体に表示させることを特徴とする請求項１に記載の表示装置。
【請求項３】  前記制御手段は、前記表示コンテンツに含まれるカラー表示データを前記第１の表示体に表示させるとともに、前記第２の表示体のうち前記カラー表示データの表示領域と重なる部分を暗色表示することを特徴とする請求項１又は請求項２のいずれかに記載の表示装置。
【請求項４】  前記制御手段は、前記表示コンテンツに含まれる文字データを前記第２の表示体に表示させるとともに、前記第１の表示体のうち前記文字データの明色表示領域と重なる部分又は前記文字データの明色表示領域とほぼ重なる部分を発光状態とすることを特徴とする請求項１から請求項３のいずれかに記載の表示装置。
【請求項５】  利用者による節電モードの選択が可能なモード選択手段を備え、前記制御手段は、前記節電モードが選択されているときには、前記表示コンテンツに含まれるカラー表示データも前記第２の表示体に二色表示させることを特徴とする請求項１から請求項４のいずれかに記載の表示装置。
【請求項６】  前記制御手段は、前記表示コンテンツに含まれるカラー表示データを前記第１の表示体に表示させている状態が設定時間を経過したときには、前記表示コンテンツに含まれるカラー表示データを前記第２の表示体に二色表示させる状態に自動的に移行することを特徴とする請求項１から請求項５のいずれかに記載の表示装置。
【請求項７】  前記表示画面への入射光量を検出する入射光量検出手段を備え、前記制御手段は、前記入射光量に応じて前記第１の表示体の輝度を制御することを特徴とする請求項１から請求項６のいずれかに記載の表示装置。
【請求項８】  請求項１から請求項７のいずれかに記載の表示装置を備えることを特徴とする電子機器。
【請求項９】  自発光する透過型表示体の背面側に反射型表示体を配してなる表示装置に表示コンテンツを表示させる方法であって、前記表示コンテンツに含まれるカラー表示データを前記透過型表示体に表示させ、前記表示コンテンツに含まれるモノクロ表示データを前記反射型表示体に表示させることを特徴とする表示方法。
【請求項１０】  前記表示コンテンツに含まれるカラー写真データを前記透過型表示体に表示させ、前記表示コンテンツに含まれるモノクロ写真データ及び文字データを前記反射型表示体に表示させることを特徴とする請求項９に記載の表示方法。
【請求項１１】  前記表示コンテンツに含まれるカラー表示データを前記透過型表示体に表示させるとともに、前記反射型表示体のうち前記カラー表示データの表示領域と重なる部分を暗色表示することを特徴とする請求項９又は請求項１０に記載の表示方法。
【請求項１２】  前記表示コンテンツに含まれる文字データを前記反射型表示体に表示させるとともに、前記透過型表示体のうち前記文字データの明色表示領域と重なる部分又は前記文字データの明色表示領域とほぼ重なる部分を発光状態とすることを特徴とする請求項９から請求項１１のいずれかに記載の表示方法。
【請求項１３】  利用者によって節電モードが選択されているときには、前記表示コンテンツに含まれるカラー表示データも前記反射型表示体に二色表示させることを特徴とする請求項９から１２のいずれかに記載の表示方法。
【請求項１４】  前記表示コンテンツに含まれるカラー表示データを前記透過型表示体に表示させている状態が設定時間を経過したときには、前記表示コンテンツに含まれるカラー表示データを前記反射型表示体に二色表示させる状態に自動的に移行することを特徴とする請求項９から請求項１３のいずれかに記載の表示方法。
【手続補正２】
【補正対象書類名】明細書
【補正対象項目名】００２１
【補正方法】変更
【補正の内容】
【００２１】
さらに、本発明に係る表示方法は、前記表示コンテンツに含まれるカラー表示データを前記透過型表示体に表示させるとともに、前記反射型表示体のうち前記カラー表示データの表示領域と重なる部分を暗色表示するものであってもよい。
また、本発明に係る表示方法は、前記表示コンテンツに含まれる文字データを前記反射型表示体に表示させるとともに、前記透過型表示体のうち前記文字データの明色表示領域と重なる部分又は前記文字データの明色表示領域とほぼ重なる部分を発光状態とするものであってもよい。
【手続補正３】
【補正対象書類名】明細書
【補正対象項目名】００２４
【補正方法】変更
【補正の内容】
【００２４】
電気泳動パネル３は、黒色の帯電粒子７ａと白色の分散媒７ｂとからなる電気泳動分散液７を内包する複数のマイクロカプセル８と、それらのマイクロカプセル８が配された層を挟み込むように配置された一対の電極６，９とを備え、それらの電極６，９のうち前面側にあるもの６をパネル全面の共通電極とし、背面側にあるもの９がマトリックス状に形成される。そして、第２ディスプレイドライバ１１１（図８参照。）及び駆動回路（図示略。）を介して、後述する制御装置（図８参照。）からの指令に従って、任意のマイクロカプセル８に電圧を印加することによって、黒色の帯電粒子７ａを前面側（電極６側）に吸着させ、それらの帯電粒子７ａが前面側から認識されるようにし、表示コンテンツに含まれるモノクロ写真や文字等のモノクロ表示データを表示させる。また、この状態から電気泳動パネル３をオフ状態、つまり駆動回路を開放状態に切り替えると、電極９には電荷が保持されるため、この電極保持電荷のクーロン力で帯電粒子７ａは、電極６側に吸着された状態となる。つまり、一切エネルギーを供給していない状態で、帯電粒子７ａが吸着した状態が保持され、前面側にモノクロ表示データが表示され続ける。なお、電気泳動パネル３の前面側の電極６は、有機ＥＬ表示体２の背面側の透明電極６を兼ねるものとする。
【手続補正４】
【補正対象書類名】明細書
【補正対象項目名】００３６
【補正方法】変更
【補正の内容】
【００３６】
前記ステップＳ１１０では、図４（ａ）に示すように、ページ送りボタン１０が操作されたときには、次のページのコンテンツに含まれる表示データをフラッシュメモリ１０４から読み込むとともに、その表示データからカラー表示データの表示領域Ａを抽出し、且つ、ページ戻しボタン１１が操作されたときには、前のページのコンテンツに含まれる表示データをフラッシュメモリ１０４から読み込むとともに、その表示データからカラー表示データの表示領域Ａを抽出する。